(57)【要約】【課題】ＩＣチップに余計な力が掛からないようにした耐圧性が良好なＩＣタグラベルを提供すること。【解決手段】基材上にアンテナパターン及び該アンテナパターンに接続されたＩＣチップ１１ｂを有するＩＣタグ用インレット１１と、少なくともＩＣチップ１１ｂを覆ってＩＣタグインレット１１に貼着された保護シート１３と、保護シート１３に貼着された発泡体シート１５と、ＩＣタグインレット１１の基材１１ａの裏側に貼着されたセパレート紙１７とを備え、発泡体シート１５にはＩＣチップ１１ｂに対応する部位にＩＣチップ１１ｂの大きさに保護シート１３の厚みを加えた大きさよりも大きなサイズの貫通孔１５ａが設けられた構成とする。書籍の間に挟んだり積み重ねたりした場合でも、発泡体シート１５が圧力を受け持つことになり、ＩＣチップ１１ｂに余計な力が掛かることがなく、耐圧性が良好なものとなる。【選択図】図２
2008097178.tif 000002
【特許請求の範囲】
【請求項１】
基材上にアンテナパターン及び該アンテナパターンに接続されたＩＣチップを有するＩＣタグ用インレットと、少なくともＩＣチップを覆ってＩＣタグインレットに貼着された保護シートと、保護シートに貼着された発泡体シートと、ＩＣタグインレットの基材の裏側に貼着されたセパレート紙とを備え、発泡体シートにはＩＣチップに対応する部位にＩＣチップの大きさに保護シートの厚みを加えた大きさよりも大きなサイズの貫通孔が設けられていることを特徴とするＩＣタグラベル。
【発明の詳細な説明】
【技術分野】
【０００１】
本発明は、運送分野や流通分野における荷札、伝票等を始めとして、工場での工程管理票などに使用されるＩＣタグラベルに関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
パッシブ型のＩＣタグは、ＩＣチップとアンテナを備えていさえすればどんな形状であってもよいが、いずれも長い方向で数センチほどの大きさである。また、研究開発が進み、価格についても安価になることが見えてきたことから、様々な物品にＩＣタグをつけて物流過程、保管時等における情報管理を行うことが提案されている。そして、ＩＣタグを各種物品に取り付けて使用する場合、ラベルの形態にすることが行われる。
【０００４】
ＩＣタグをラベル化するに際しては、ＩＣタグインレットを使って従来のようなラベルの形態にするのが一般的である。このＩＣタグインレットとは、通常、ＰＥＴフィルム等を基材とし、それにアンテナパターンが印刷又はエッチング等により形成するとともに、ＩＣチップを装着したものである。そして、このＩＣタグインレットの表側に印刷等を施したラベル表紙を粘着剤で貼り合わせ、裏側には両面テープでセパレート紙を貼り合わせることでＩＣタグラベルとしている。
【特許文献１】特開２００２−３４２７２８公報
【発明の開示】
【発明が解決しようとする課題】
【０００５】
上記のＩＣタグラベルは、ＩＣチップを内蔵しているため、通常の単なるラベルに比べるとＩＣチップのところに厚みがあることから、書籍等の間に挟んだり複数枚を束ねたりした場合にＩＣチップの部分が邪魔になり、耐圧性に問題が生じるとともに取扱いに難があった。そこで、ラベル表紙においてＩＣチップに対応する部分に貫通孔を設け、その段差を利用して耐圧効果を出すことも考えられるが、段差だけではＩＣチップを保護できる耐圧荷重に限度がある。
【０００６】
本発明は、上記のような問題点に鑑みてなされたものであり、その目的とするところは、ＩＣチップに余計な力が掛からないようにした耐圧性が良好なＩＣタグラベルを提供することにある。
【課題を解決するための手段】
【０００７】
上記の目的を達成するため、本発明のＩＣタグラベルは、基材上にアンテナパターン及び該アンテナパターンに接続されたＩＣチップを有するＩＣタグ用インレットと、少なくともＩＣチップを覆ってＩＣタグインレットに貼着された保護シートと、保護シートに貼着された発泡体シートと、ＩＣタグインレットの基材の裏側に貼着されたセパレート紙とを備え、発泡体シートにはＩＣチップに対応する部位にＩＣチップの大きさに保護シートの厚みを加えた大きさよりも大きなサイズの貫通孔が設けられていることを特徴とするものである。
【発明の効果】
【０００８】
本発明のＩＣタグラベルは、発泡体シートに設けた貫通孔のところにＩＣチップが位置し、しかも発泡体シートとＩＣタグインレットとの間には保護シートがあるので、書籍の間に挟んだり積み重ねたりした場合でも、発泡体シートが圧力を受け持つことになり、ＩＣタグインレットのＩＣチップに余計な力が掛かることがなく、耐圧性が良好なものとなる。
【発明を実施するための最良の形態】
【０００９】
以下、具体例を挙げて本発明の実施の形態について説明する。
【００１０】
図１は本発明に係るＩＣタグラベルの一例を示す平面図、図２は図１に示すＩＣタグラベルの断面図である。
【００１１】
このＩＣタグラベル１０は、ＩＣタグインレットを使用しており、図において１１で示す部分がＩＣタグインレットである。このＩＣタグインレット１１は、ＰＥＴやポリプロピレン、ポリエチレン、ポリスチレン、ナイロン等からなる透明プラスチックフィルムを基材１１ａとし、その基材１１ａの上にアンテナパターン（図示せず）が形成され、アンテナパターンの両端にバンプを介してＩＣチップ１１ｂが装着されたものである。
【００１２】
そして、ＩＣタグインレット１１の表側には、ＩＣチップ１１ｂを覆って粘着剤１２により保護シート１３が貼着され、その保護シート１３の上に貫通孔１５ａを打ち抜いた発泡体シート１５が粘着剤１４で貼着されている。この発泡体シート１５に設ける貫通孔１５ａは、図示のような円形に限らず、任意の形状でもよいが、ＩＣチップ１１ｂに対応する部位に形成されるものであり、ＩＣチップ１１ｂの大きさに保護シート１３の厚みを加えた大きさよりも大きなサイズである。また、ＩＣタグインレット１１の裏側には両面テープ１６を介してセパレート紙１７が貼着されている。
【００１３】
保護シート１３には、透明プラスチックシート或いは不透明プラスチックシートを適宜選択して用いる。材質は、ＰＥＴ、ポリプロピレン、ポリエチレン、ポリスチレン、ナイロン等で、不透明にする場合はこれらに適宜の顔料等を添加して着色プラスチックシートとしたもの用いる。
【００１４】
発泡体シート１５は、ＩＣタグインレット１１及び保護シート１３と一体となって物品に貼着される部分であり、その表面側には物品の内容等を表示する印刷が施されるのが通例である。本発明ではこの発泡体シート１５として、軟質でかつ反発弾性率の高い発泡体を使用する。軟質でなければラベルに可撓性がなくなるし、反発弾性率が高くないと所望の耐圧性が得られないからである。具体的には、アクリルフォームやウレタンフォームなどの発泡倍率が６０〜７０倍程度のもので、密度が０．０２〜０．５ｇ／ｃｍ3 、空気含有率が２０〜５０％、反発弾性率が３０％以上のものが好適である。そして、使用する発泡体の厚さは１００〜３００μｍ程度である。
【００１５】
また、ＩＣタグインレット１１の裏側には、前記の如くセパレート紙１７があって両面テープ１６が不用意に他の物にくっつくのを防止している。また、セパレート１７の内面側はシリコン等による離型処理が施されており、両面テープ１６から容易に剥離できるようになっている。
【００１６】
このＩＣタグラベル１０を対象物品に貼着するには、セパレート紙１７を剥離除去して、ＩＣタグインレット１１、隠蔽層１３、発泡体シート１５の一体物を対象物品に貼着することになる。大量に連続的に貼着する場合は、ＩＣタグラベル１０の連続体をラベラー等に充填して使用すればよい。
【００１７】
上記した構成からなるＩＣタグラベル１０は、ＩＣチップ１１ｂが発泡体シート１５の貫通孔１５ａのところに位置するので、ＩＣチップ１１ｂのところで膨らんだ状態にはならず、枚葉状態で積み重ねたり連続状態で巻き取ったりしても邪魔になることがない。そして、発泡体シート１５が圧力を受け持つので、ＩＣチップ１１ｂに余計な力が掛かって破損するようなこともない。
【００１８】
また、発泡体シート１５の貫通孔１５ａのところには保護シート１３が見えるので、この保護シート１３を透明にして下のＩＣチップ１１ｂが見える状態にするか、或いは不透明にしてＩＣチップ１１ｂが見えないようにするかは用途に応じて使い分ければよい。
【００１９】
以上、具体例を挙げて本発明を説明したが、本発明によるＩＣタグラベルは、上記の例に何ら限定されるものではなく、本発明の趣旨を逸脱しない範囲において種々の変更が可能であることは当然のことである。
【図面の簡単な説明】
【００２０】
【図１】本発明に係るＩＣタグラベルの一例を示す平面図である。
【図２】図１に示すＩＣタグラベルの断面図である。
【符号の説明】
【００２１】
１０  ＩＣタグラベル
１１  ＩＣタグインレット
１１ａ  基材
１１ｂ  ＩＣチップ
１２  粘着剤
１３  保護シート
１４  粘着剤
１５  発泡体シート
１５ａ  貫通孔
１６  両面テープ
１７  セパレート紙
【図１】
2008097178.tif 000003
【図２】
2008097178.tif 000004